(57)【要約】【課題】  電源を必要としなくても、暗闇で確実に操作指標を確認でき、操作部材の誤操作を防止できるようにした操作装置およびこれを備えたカメラ等の装置を提供することができる。【解決手段】  表面に操作指標が表示された操作部構成部材を有する操作装置において、操作部構成部材を透明又は半透明の材料により形成し、この操作部構成部材の裏面側に衝撃発光ＬＥＤを配し、さらに衝撃発光ＬＥＤ周辺に蓄光部材を配した。【選択図】  図１
2006024009.tif 000002
【特許請求の範囲】
【請求項１】
表面に操作指標が表示された操作部構成部材を有する操作装置において、前記操作部構成部材を透明又は半透明の材料により形成し、この操作部構成部材の裏面側に衝撃発光ＬＥＤを配したことを特徴とする操作装置。
【請求項２】
請求項１において、前記衝撃発光ＬＥＤは前記操作部材が操作されたことによる衝撃によって発光することを特徴とする操作装置。
【請求項３】
請求項１又は２において、前記衝撃発光ＬＥＤ周辺にある前記操作部構成部材の一部に蓄光部材を配したことを特徴とする操作装置。
【請求項４】
請求項１から３のいずれかに記載の操作装置を備えたことを特徴とするカメラ。
【発明の詳細な説明】
【技術分野】
【０００１】
本発明は、カメラ等の装置に備えられる操作装置に関するものである。
【背景技術】
【０００２】
従来、カメラの電源スイッチや撮影モードの設定を行うダイヤル等の操作部材、または記録媒体や電池等を挿入するための蓋部材はモールド樹脂や金属により作られ、これら部材の表面または周囲には、文字や絵文字等の指標が印刷等によって表示されている。使用者は、これら指標を見ることにより確実に所望の部材を操作し、適切なカメラ撮影を行うことができる。
【０００３】
ところで、カメラを暗闇の中で使用するとき、例えば星や夜景、花火等を撮影するときでも、操作指標を見易くするため、操作指標の印刷に蛍光物質を使用するものや、操作部材の操作によって設定された撮影モードをバックライト付きの液晶表示パネル等に表示するカメラが提案されている。
【０００４】
また、バックライトスイッチのオン操作を行なわなくても操作指標を確認できるように、操作部構成部材を透明又は半透明の材料により形成し、この操作部構成部材の裏面側に蓄光材料を配設し、指標を表示するカメラもある。（例えば、特許文献１参照）
【特許文献１】特開平１０−０９１２６４号公報
【発明の開示】
【発明が解決しようとする課題】
【０００５】
しかしながら、操作指標の印刷に蛍光物質を使用した場合は、周囲に全く光源がない場合は光らない。また、操作部構成部材の裏面側に蓄光材料を配設した場合では長時間暗闇に放置されると蓄光材料が発光しなくなってしまうという問題がある。さらに、バックライト付きの液晶表示パネル等を使用する場合は、液晶表示を見る毎にバックライトのスイッチを操作しなければならないので、面倒であると同時に、バックライトを点灯するのに電源が必要であり電池が入っていない状態でも指標を照らす必要のあるもの（例えば電池蓋）の指標を照らすことはできないという不具合がある。
【０００６】
そこで、本発明の目的は、電源を必要とせずとも、暗闇で確実に操作指標を確認でき、操作部材の誤操作を防止できるようにした操作装置およびこれを備えたカメラ等の装置を提供することである。
【課題を解決するための手段】
【０００７】
上記の目的を達成するために本出願に係る発明の目的を実現する構成は、表面に操作指標が表示された操作部構成部材を有する操作装置において、操作部構成部材を透明又は半透明の材料により形成し、この操作部構成部材の裏面側に衝撃発光ＬＥＤを配し、さらに衝撃発光ＬＥＤ周辺に蓄光部材を配したことを特徴とする。
【発明の効果】
【０００８】
本発明によれば、表面に操作指標が表示された操作部構成部材を有する操作装置において、操作部構成部材を透明又は半透明の材料により形成し、この操作部構成部材の裏面側に衝撃発光ＬＥＤを配し、操作部材を操作する衝撃によって、この衝撃発光ＬＥＤを発光させることで、電源を必要とせずとも、暗闇で確実に操作指標を確認でき、さらに衝撃発光ＬＥＤ周辺に蓄光部材を配することで、衝撃発光ＬＥＤが消灯した後も、操作指標が確認できるようにし、操作部材の誤操作を防止できるようにした操作装置およびこれを備えたカメラ等の装置を提供することができる。
【発明を実施するための最良の形態】
【０００９】
（実施例１）
以下、本発明の第１の実施例を図１乃至図３に基づいて説明する。
【００１０】
図１乃至図３は本発明に係る実施例を示すものであり、図１はモードダイヤルがカメラ本体に取り付けられている状態を示す断面図、図２はモードダイヤルの正面図、図３はモードダイヤルの裏面図である。
【００１１】
図１乃至図３において、モードダイヤル１は、モードダイヤル回転軸１ｃで本体４に回転可能に取り付けられている。１ａは表面に各種モードが印刷してある透明な材料で作られた指標であり、モードダイヤル１に接着等で取り付けられている。衝撃発光ＬＥＤ２は、ＬＥＤ発光部２ａの光が指標１ａを透過するようにモードダイヤル１の中に内蔵されている。ＬＥＤ発光部２ａの周囲で指標１ａ以外の部分には蓄光部材３が配置されている。スプリング４ｂは本体４に取り付けられており、球４ａをモードダイヤル１の方向に付勢している。球４ａはモードダイヤル１のＬＥＤ接触用穴１ｂから衝撃発光ＬＥＤ２に接触している。
【００１２】
モードダイヤル１が撮影者の手によって操作（回転）させられるとＬＥＤ接触用穴１ｂから衝撃発光ＬＥＤ２に接触していた球４ａは、一度本体４側に押しこまれる。モードダイヤル１がさらに回転し、別の指標位置まで回転すると、球４ａはスプリング４ｂの力によって、その指標と対抗したＬＥＤ接触用穴１ｂからその指標を表示させるための衝撃発光ＬＥＤ２に接触する。この衝撃によって衝撃発光ＬＥＤ２のＬＥＤ発光部２ａが発光する。この発光光の一部はそのまま指標１ａを照らしモードダイヤルがどの位置にあるかを操作者に知らしめる。また、発光光のうちそのまま指標１ａを透過しなかった光は蓄光部材３に吸収され、この蓄光部材３が光ることでしばらくの間指標１ａが照らし出されることになる。
【００１３】
（実施例２）
次に、本発明の実施例２を図４乃至図７に基づいて説明する。
【００１４】
図４乃至図７は本発明に係る実施例２を示すものであり、図４は電池蓋が開いている状態を示す斜視図、図５は電池蓋が閉じられている状態を示す断面図、図６は電池蓋が開かれている途中の状態を示す断面図、図７は電池蓋が開かれている状態を示す断面図である。
【００１５】
図４乃至図７において、電池蓋５は不図示の回転軸で本体８に回転可能に取り付けられている。５ａは透明な材料で作られた指標であり、電池蓋５に接着等で取り付けられている。衝撃発光ＬＥＤ６は、ＬＥＤ発光部６ａの光が指標５ａを透過するように電池蓋５の中に内蔵されている。ＬＥＤ発光部６ａの周囲で指標５ａ以外の部分には蓄光部材７が配置されている。スプリング８ｂは本体８に取り付けられており、球８ａを電池蓋５が取り付けられている面と垂直方向に付勢している。電池蓋５が閉じられているとき、球８ａは電池蓋５の一部である球押さえ部５ｂによって本体８に押し込まれている。
【００１６】
電池蓋５が撮影者の手によって開操作され、図６から図７の状態に変化すると、球８ａはスプリング８ｂの力によって、電池蓋５が取り付けられている面と垂直方向に動き出し、電池蓋５が垂直まで開けられたとき、衝撃発光ＬＥＤ６に接触する。この衝撃によって衝撃発光ＬＥＤ６のＬＥＤ発光部６ａが発光する。この発光光の一部はそのまま指標５ａを照らし、電池挿入方向を操作者に知らしめる。また、発光光のうちそのまま指標５ａを透過しなかった光は蓄光部材７に吸収され、この蓄光部材７が光ることでしばらくの間指標５ａが照らし出されることになる。
【図面の簡単な説明】
【００１７】
【図１】本発明の実施例１で、モードダイヤルがカメラ本体に取り付けられている状態を示す断面図。
【図２】本発明の実施例１で、モードダイヤルの正面図。
【図３】本発明の実施例１で、モードダイヤルの裏面図。
【図４】本発明の実施例２で、電池蓋が開いている状態を示す斜視図。
【図５】本発明の実施例２で、電池蓋が閉じられている状態を示す断面図。
【図６】本発明の実施例２で、電池蓋が開かれている途中の状態を示す断面図。
【図７】本発明の実施例２で、電池蓋が開かれている状態を示す断面図。
【符号の説明】
【００１８】
１  モードダイヤル
１ａ  指標
１ｂ  ＬＥＤ接触用穴
１ｃ  モードダイヤル回転軸１ｃ
２  衝撃発光ＬＥＤ
２ａ  ＬＥＤ発光部
３  蓄光部材
４  本体
４ａ  球
４ｂ  スプリング
【図１】
2006024009.tif 000003
【図２】
2006024009.tif 000004
【図３】
2006024009.tif 000005
【図４】
2006024009.tif 000006
【図５】
2006024009.tif 000007
【図６】
2006024009.tif 000008
【図７】
2006024009.tif 000009